(57)【要約】【課題】リサイクル性に優れるパチスロ遊技機用枠体を提供する。【解決手段】アルミ合金筐体３とアルミ合金押出形材１とを主要部とするパチスロ遊戯機用枠体。アルミ合金筐体３の接合面３ａに、アルミ合金押出形材１が機械的かしめ、溶接、またはアルミ合金リベットにより接合されているパチスロ遊戯機用枠体。アルミ合金押出形材の外面の長さ方向に凸条または溝部が形成され、前記凸条または溝部は前記アルミ合金押出形材の外面と当接する遊戯盤の端面に形成した溝部または凸条とそれぞれ嵌合するパチスロ遊戯機用枠体【選択図】図１
2005245558.tif 000002
【特許請求の範囲】
【請求項１】
アルミ合金筐体の開口端部にアルミ合金押出形材が接合されており、前記アルミ合金押出形材の遊戯盤が突き当たる部位に凸部または凹部が形成されていることを特徴とするパチスロ遊戯機用枠体。
【請求項２】
アルミ合金筐体の開口端部とアルミ合金押出形材とが相互に嵌合して接合されていることを特徴とする請求項１記載のパチスロ遊戯機用枠体。
【請求項３】
アルミ合金筐体の開口端部とアルミ合金押出形材とが機械的かしめにより接合されていることを特徴とする請求項１または２記載のパチスロ遊戯機用枠体。
【請求項４】
アルミ合金筐体の開口端部とアルミ合金押出形材とが溶接により接合されていることを特徴とする請求項１または２記載のパチスロ遊戯機用枠体。
【請求項５】
アルミ合金筐体の開口端部とアルミ合金押出形材とがアルミ合金リベットにより接合されていることを特徴とする請求項１または２記載のパチスロ遊戯機用枠体。
【請求項６】
前記アルミ合金筐体、アルミ合金押出形材、およびアルミ合金リベットが全て同一合金からなることを特徴とする請求項５記載のパチスロ遊戯機用枠体。
【発明の詳細な説明】
【技術分野】
【０００１】
本発明は、防犯機能を備え、かつリサイクル性に優れるパチスロ遊技機用枠体に関する。
【背景技術】
【０００２】
従来、パチスロ遊戯機用枠体には木製枠体が使用されていたが、近年、環境保護の観点から木材以外の枠体、例えば、合成樹脂製枠体（特許文献１）或いは金属材料と紙や木材とからなる複合枠体（特許文献２、３）が提案されている。また、前記枠体と遊戯盤との接合部からピアノ線などを挿入して遊戯盤を勝手に操作するのを防止するために前記接合部に防犯冶具が取付けられている。
【０００３】
【特許文献１】特開平８−８９６３９号公報
【特許文献２】特開２００３−１９９８６７
【特許文献３】特開２００３−３２５９００
【発明の開示】
【発明が解決しようとする課題】
【０００４】
しかし、前記合成樹脂製枠体は合成樹脂のリサイクル先が限られているためリサイクル効果が十分に得られず、前記複合枠体はリサイクル時に金属材料と紙や木材とを分離するのに手間を要し、いずれもリサイクル性が劣った。また防犯冶具を取付けるのはコスト的に不利であった。
本発明は、防犯機能を備え、かつリサイクル性に優れるパチスロ遊技機用枠体の提供を目的とする。
【課題を解決するための手段】
【０００５】
請求項１記載発明は、アルミ合金筐体の開口端部にアルミ合金押出形材が接合されており、前記アルミ合金押出形材の遊戯盤が突き当たる部位に凸部または凹部が形成されていることを特徴とするパチスロ遊戯機用枠体である。
【０００６】
請求項２記載発明は、アルミ合金筐体の開口端部とアルミ合金押出形材とが相互に嵌合して接合されていることを特徴とする請求項１記載のパチスロ遊戯機用枠体である。
【０００７】
請求項３記載発明は、アルミ合金筐体の開口端部とアルミ合金押出形材とが機械的かしめにより接合されていることを特徴とする請求項１または２記載のパチスロ遊戯機用枠体。
【０００８】
請求項４記載発明は、アルミ合金筐体の開口端部とアルミ合金押出形材とが溶接により接合されていることを特徴とする請求項１または２記載のパチスロ遊戯機用枠体である。
【０００９】
請求項５記載発明は、アルミ合金筐体の開口端部とアルミ合金押出形材とがアルミ合金リベットにより接合されていることを特徴とする請求項１または２記載のパチスロ遊戯機用枠体である。
【００１０】
請求項６記載発明は、前記アルミ合金筐体、アルミ合金押出形材、およびアルミ合金リベットが全て同一合金からなることを特徴とする請求項５記載のパチスロ遊戯機用枠体である。
【発明の効果】
【００１１】
本発明のパチスロ遊技機用枠体は、アルミ合金筐体にアルミ合金押出形材を接合したものなので解体分離せずにそのままリサイクル（再溶解など）することが可能である。本発明では前記アルミ合金押出形材の所要部に凸部或いは凹部を設け、前記凸部或いは凹部に遊戯盤を嵌合するので、遊戯者がピアノ線などを接合部から遊技機内に差し込んで遊戯盤を勝手に操作する犯罪行為が防止できる。従って本発明の枠体では殊更防犯冶具を設ける必要がなくコスト的に有利である。前記アルミ合金筐体とアルミ合金押出形材との接合を、機械的かしめ、溶接またはアルミ合金リベットを用いて行ったものは枠体全体がアルミ合金からなるためリサイクル性が特に高い。前記筐体、押出形材およびリベットを全て同一合金で構成したものはリサイクル性が極めて高い。
【発明を実施するための最良の形態】
【００１２】
以下に本発明を図を参照して具体的に説明する。
図１は本発明のパチスロ遊戯機用枠体の実施形態を示す斜視説明図、図２は図１の斜視分解説明図である。
このパチスロ遊戯機用枠体は、４本のアルミ合金押出形材１の各端部を順次接合して四角形状体２を形成し、四角形状体２の後端面２ａをアルミ合金筐体３の接合面３aに接合したものである。前記アルミ合金押出形材は断面略コの字状のものである。
【００１３】
前記アルミ合金筐体３は、アルミ合金板から十字形状体を切り出し、前記十字形状体をプレスブレーキにより筐体形状に折り曲げ、筐体の角部となる部位を順次接合（スポット溶接）して作製した。前記角部となる部位には接合のための舌片（図示せず）を設けた。
【００１４】
前記アルミ合金筐体３では、開口端部を内側に直角に折り曲げて接合面３ａを形成し、この接合面３ａに四角形状体２の後端面２ａが接合されている。
図１、２で、４はルーレットを配置するためのアルミ合金中床部材である。
アルミ合金押出形材１およびアルミ合金中床部材４にも、その端部要所に接合部となる舌片５が設けられている。
【００１５】
本発明で用いるアルミ合金押出形材の第２の実施形態を図３（イ）に示す。
このアルミ合金押出形材６は、遊戯盤（図示せず）が突き当たる面６ａに凸条（凸部）６ｂをアルミ合金押出形材６の長さ方向に連続して設けたものである。前記凸条６ａと遊戯盤のアルミ合金押出形材６と突き当たる面に設けた溝（凹部）とを嵌合すると前記凸条がバリヤーとなり、接合部から遊戯機内にピアノ線などを差し込むことができなくなる。
【００１６】
図３（ロ）に示したアルミ合金押出形材７は、遊戯盤（図示せず）が突き当たる部位に段差７ａを形成し凹部７ｂを設けたものであり、遊戯盤の後端部を前記凹部に嵌合すると、この場合も前記段差７ａがバリヤーとなり、接合部から遊戯機内にピアノ線などを差し込むことができなくなる。
【００１７】
図４は本発明の枠体の他の実施形態を示す横断面図である。
アルミ合金筐体８の開口端部が内方に向けてクランク状に形成されており、前記クランク状部９の水平面９ａに押出形材１０の後端面１０ａが当接して接合され、前記クランク状部９の外方側面９ｂと押出形材１０の後部内方側面１０ｂとが当接して接合されている。このように側面同士９ｂ、１０ｂを当接させると接合時の位置決めが確実に行え、施工性が向上する。またクランク状部９を内方に向けて形成することにより、接合部１１外面をフラットに形成でき、枠体の見栄えが良くなる。
【００１８】
前記押出形材１０の前端面１０ｃには凸条１０ｄが設けられており、この凸条１０ｄに遊戯盤１２の後端部１２ａを嵌合すると、凸条１０ｄがバリヤーとなって接合部１３からピアノ線などを遊戯盤１２内に差し込めなくなる。凸条１０ｄを設ける位置は接合部１３外面がフラットになる位置が枠体の見栄えが良くなり望ましい。
【００１９】
前記アルミ合金製の筐体、押出形材、中床部材の３者間の接合、および押出形材同士の接合を、機械的かしめ、溶接、アルミ合金リベットのいずれかにより行うことにより枠体全体をアルミ合金で構成することができ、リサイクル性が向上する。前記溶接には、アーク溶接またはスポット溶接が、溶接熱の影響を小さくすることができるため適している。
【００２０】
前記アルミ合金製の筐体、押出形材、中床部材にはＪＩＳ  ６０６３合金など任意のアルミ合金が使用できる。用途によっては純アルミニウムを使用することもできる。また前記筐体、押出形材、中床部材の厚さは通常２ｍｍ程度であるが、用途に応じて任意に選択できる。
【００２１】
本発明において、接合部材（アルミ合金リベット）を含めた構成部材を全てＪＩＳ  ６０６３などの同一合金で構成するとリサイクル性（リサイクル効果）か著しく向上する。
【００２２】
本発明において、アルミ合金筐体は絞り成形によっても製造できる。絞り成形は前記折り曲げ→接合法に較べて工程が短い利点がある。アルミ合金製押出形材には、断面コの字状、Ｌ字状、Ｔ字状など任意の形状の押出形材が使用できる。
【図面の簡単な説明】
【００２３】
【図１】本発明のパチスロ遊戯機用枠体の実施形態を示す斜視説明図である。
【図２】図１に示したパチスロ遊戯機用枠体の斜視分解説明図である。
【図３】（イ）、（ロ）本発明で用いるアルミ合金押出形材の実施形態を示す横断面図である。
【図４】本発明で用いるアルミ合金押出形材の他の実施形態を示す横断面説明図である。
【符号の説明】
【００２４】
１    断面略コの字状アルミ合金押出形材
２    断面略コの字状アルミ合金押出形材の各端部を順次接合して形成した四角形状体
２ａ  四角形状体（押出形材）の後端面
３    アルミ合金筐体
３ａ  アルミ合金筐体の四角形状体（押出形材）接合面
４    ルーレットを配置するためのアルミ合金中床部材
５    舌片
６    断面略コの字状アルミ合金押出形材
６ａ  断面略コの字状アルミ合金押出形材の遊戯盤が突き当たる面
６ｂ  断面略コの字状アルミ合金押出形材の遊戯盤が突き当たる面に設けられた凸条
７    断面略コの字状アルミ合金押出形材
７ａ  断面略コの字状アルミ合金押出形材の遊戯盤が接合される部位に形成された段差
７ｂ  断面略コの字状アルミ合金押出形材の遊戯盤が接合される部位に形成された凹部
８    アルミ合金筐体
９    アルミ合金筐体の開口端部に形成されたクランク状部
９ａ  クランク状部の水平面
９ｂ  クランク状部の外方側面
１０  押出形材
１０ａ押出形材の後端面
１０ｂ押出形材の後部内方側面
１０ｃ押出形材の前端面
１０ｄ押出形材の前端面に設けられた凸条
１１  接合部
１２  遊戯盤
１２ａ遊戯盤の後端部
１３  接合部
前記押出形材１０の前端面１０ｃには凸条１０ｄ
【図１】
2005245558.tif 000003
【図２】
2005245558.tif 000004
【図３】
2005245558.tif 000005
【図４】
2005245558.tif 000006